(57)【要約】【課題】カウンタウエイトに起因する振動の発生を効果的に防止する。【解決手段】ジグソー１は、モータ５と、ブレード３７を装着可能なロッド３３と、モータ５の回転をロッド３３の往復動に変換する往復動機構３１と、ロッド３３の往復動と同じ方向で対称に往復動するカウンタウエイト４８と、カウンタウエイト４８の往復動を案内するガイドプレート６０と、を備えると共に、カウンタウエイト４８にガイドプレート６０を押し付ける予圧手段（ラバーピン６５）を備えている。【選択図】図１
2015139869.tif 000002
【特許請求の範囲】
【請求項１】
モータと、
ブレードを装着可能なスライド部材と、
前記モータの回転を前記スライド部材の往復動に変換する往復動機構と、
前記スライド部材の往復動と同じ方向で対称に往復動するカウンタウエイトと、
前記カウンタウエイトの往復動を案内するガイド部材と、を備えた往復動切断工具であって、
前記カウンタウエイトに前記ガイド部材を押し付ける予圧手段を設けたことを特徴とする往復動切断工具。
【請求項２】
前記カウンタウエイトが、上下方向に往復動する前記スライド部材と平行に往復動するプレートと、そのプレートに取り付けられるウエイトとからなり、前記ガイド部材が、前記ウエイトの前方に設けられて、前記ガイド部材の前方に配置された前記予圧手段によって前記ウエイトに押し付けられるものであることを特徴とする請求項１に記載の往復動切断工具。
【請求項３】
前記予圧手段は、前記ガイド部材に線接触する弾性体であることを特徴とする請求項１又は２に記載の往復動切断工具。
【請求項４】
前記弾性体は複数種類備えられることを特徴とする請求項３に記載の往復動切断工具。
【請求項５】
前記ガイド部材が弾性を有して一の弾性体と兼用されることを特徴とする請求項４に記載の往復動切断工具。
【請求項６】
前記ウエイトに、前記ガイド部材が嵌合する凹溝を設けたことを特徴とする請求項２乃至５の何れかに記載の往復動切断工具。
【請求項７】
前記ガイド部材は、前記カウンタウエイトの往復動方向の一端側が固定され、他端側が自由端となって前記弾性体によって前記カウンタウエイトに押し付けられることを特徴とする請求項３乃至６の何れかに記載の往復動切断工具。
【請求項８】
前記スライド部材及び前記カウンタウエイトは、上下方向に往復動するものであって、弾性体は、前記カウンタウエイトの上死点で前記ガイド部材と接触する前記ウエイトの下端位置よりも上方に位置することを特徴とする請求項３乃至７の何れかに記載の往復動切断工具。
【請求項９】
前記スライド部材及び前記カウンタウエイトは、上下方向に往復動するものであって、前記ウエイトは、前部に下方へ突出する垂下部を有することを特徴とする請求項２乃至８の何れかに記載の往復動切断工具。
【発明の詳細な説明】
【技術分野】
【０００１】
本発明は、ブレードを往復動させて被切断材を切断するジグソー等の往復動切断工具に関する。
【背景技術】
【０００２】
例えばジグソーやレシプロソー等の往復動切断工具では、モータの出力軸の回転をクランク機構を介してスライダやロッド等のスライド部材の往復動に変換し、そのスライド部材に装着したブレードを一体に往復動させて被切断材を切断する。このような往復動切断工具においては、特許文献１に開示のように、ロッドの上下動と対称に上下動するバランスプレート（カウンタウエイト）を設けて、ロッドの上下動に伴う振動の抑制を図るものが知られている。
【先行技術文献】
【特許文献】
【０００３】
【特許文献１】特開平１１−５２０１号公報
【発明の概要】
【発明が解決しようとする課題】
【０００４】
このようなカウンタウエイトは、質量の大きいウエイト部をロッドの延長線上に配置すると、ロッドの振動抑制に効果的であるが、ウエイト部が上下動する際に前後方向へのモーメントが発生し、これが振動発生に繋がるおそれがあった。ウエイト部の上下動を案内するガイド部材を設けることも考えられるが、ウエイト部が前後方向に動作するとガイド部材によるガイド作用が低下してしまい、振動防止には不十分となっていた。
【０００５】
そこで、本発明は、カウンタウエイトに起因する振動の発生を効果的に防止できる往復動切断工具を提供することを目的としたものである。
【課題を解決するための手段】
【０００６】
上記目的を達成するために、請求項１に記載の発明は、モータと、ブレードを装着可能なスライド部材と、モータの回転をスライド部材の往復動に変換する往復動機構と、スライド部材の往復動と同じ方向で対称に往復動するカウンタウエイトと、カウンタウエイトの往復動を案内するガイド部材と、を備えた往復動切断工具であって、カウンタウエイトにガイド部材を押し付ける予圧手段を設けたことを特徴とするものである。
なお、この予圧手段は、ガイド部材に対してのみ作用するものに限らず、カウンタウエイトに対して作用することで相対的にガイド部材をカウンタウエイトに押し付けるものも含む。
請求項２に記載の発明は、請求項１の構成において、カウンタウエイトが、上下方向に往復動するスライド部材と平行に往復動するプレートと、そのプレートに取り付けられるウエイトとからなり、ガイド部材が、ウエイトの前方に設けられて、ガイド部材の前方に配置された予圧手段によってウエイトに押し付けられることを特徴とするものである。
請求項３に記載の発明は、請求項１又は２の構成において、予圧手段は、ガイド部材に線接触する弾性体であることを特徴とするものである。
請求項４に記載の発明は、請求項３の構成において、弾性体は複数種類備えられることを特徴とするものである。
請求項５に記載の発明は、請求項４の構成において、ガイド部材が弾性を有して一の弾性体と兼用されることを特徴とするものである。
請求項６に記載の発明は、請求項２乃至５の何れかの構成において、ウエイトに、ガイド部材が嵌合する凹溝を設けたことを特徴とするものである。
請求項７に記載の発明は、請求項３乃至６の何れかの構成において、ガイド部材は、カウンタウエイトの往復動方向の一端側が固定され、他端側が自由端となって弾性体によってカウンタウエイトに押し付けられることを特徴とするものである。
請求項８に記載の発明は、請求項３乃至７の何れかの構成において、スライド部材及びカウンタウエイトは、上下方向に往復動するものであって、弾性体は、カウンタウエイトの上死点でガイド部材と接触するウエイトの下端位置よりも上方に位置することを特徴とするものである。
請求項９に記載の発明は、請求項２乃至８の何れかの構成において、スライド部材及びカウンタウエイトは、上下方向に往復動するものであって、ウエイトは、前部に下方へ突出する垂下部を有することを特徴とするものである。
【発明の効果】
【０００７】
請求項１に記載の発明によれば、カウンタウエイトにガイド部材を押し付ける予圧手段を設けたことで、カウンタウエイトに起因する振動の発生を効果的に防止可能となる。
請求項２に記載の発明によれば、請求項１の効果に加えて、ガイド部材が、上下方向に往復動するウエイトの前方に設けられてその前方に配置した予圧手段によってウエイトに押し付けられるものとしたことで、組み付け性が良好となる。
請求項３に記載の発明によれば、請求項１又は２の効果に加えて、予圧手段を弾性体としたことで、ガイド部材への予圧が簡単に付与できる。
請求項４に記載の発明によれば、請求項３の効果に加えて、弾性体を複数種類備えたことで、異なる固有振動数によって振動抑制がより効果的に達成できる。
請求項５に記載の発明によれば、請求項４の効果に加えて、ガイド部材が弾性を有して一の弾性体と兼用されるものとしたことで、部品点数を少なくした合理的な構成となる。
請求項６に記載の発明によれば、請求項２乃至５の何れかの効果に加えて、ウエイトに、ガイド部材が嵌合する凹溝を設けたことで、ガイド部材による上下動のガイドに加えてカウンタウエイトの左右のぶれも防止可能となる。
請求項７に記載の発明によれば、請求項３乃至６の何れかの効果に加えて、ガイド部材は、カウンタウエイトの往復動方向の一端側が固定され、他端側が自由端となって弾性体によってカウンタウエイトに押し付けられるものとしたことで、安定した予圧が付与可能となる。
請求項８に記載の発明によれば、請求項３乃至７の何れかの効果に加えて、カウンタウエイトの上死点でガイド部材と接触するウエイトの下端位置よりも弾性体は上方に位置するものとしたことで、カウンタウエイトが上死点から下降する際の緩衝作用を得ることができる。
請求項９に記載の発明によれば、請求項２乃至８の何れかの効果に加えて、ウエイトは、前部に下方へ突出する垂下部を有するものとしたことで、前後方向の厚みを抑えてコンパクト化を達成することができる。
【図面の簡単な説明】
【０００８】
【図１】ジグソーの中央縦断面図である（ロッドは上死点）。
【図２】図１のＡ−Ａ線拡大断面図である。
【図３】図１のＢ−Ｂ線拡大断面図である。
【図４】カウンタウエイトの斜視図である。
【図５】（Ａ）はカウンタウエイトの正面図、（Ｂ）はＥ−Ｅ線断面図である。
【図６】（Ａ）は図１のＣ−Ｃ線拡大断面図、（Ｂ）は図１のＤ−Ｄ線拡大断面図である。
【図７】ジグソーの出力部の中央縦断面図である（ロッドは下死点）。
【図８】図７のＦ−Ｆ線断面図である。
【発明を実施するための形態】
【０００９】
以下、本発明の実施の形態を図面に基づいて説明する。
図１は、往復動切断工具の一例であるジグソー１の中央縦断面図、図７は出力部の拡大図で、図１ではロッドは上死点、図７ではロッドは下死点に位置している。このジグソー１は、左右の半割ハウジングを組み付けてなり、モータ５及び出力部７を収容したハウジング２の下方に、ベース３を備えてなる。ハウジング２の後部（図１の右側を前方とする。）には、電源となるバッテリーパック４が装着されている。
モータ５は、ハウジング２の下部で前後に延びるモータ収容部８内に、出力軸６を前方に向けた姿勢で収容される。ハウジング２の上部には、ループ状のハンドル９が形成されて、ここにトリガ１１を備えたスイッチ１０が収容されている。
【００１０】
モータ収容部８の前方には、後側のギヤハウジング１３と前側のギヤハウジングカバー１４とを組み付けてなるインナハウジング１２が設けられて、インナハウジング１２内に出力部７が収容されている。ギヤハウジング１３の下部は、ハウジング２から突出する連結部１５となって、連結部１５にベース３が連結されている。モータ５の出力軸６は、ギヤハウジング１３に設けられた軸受１６に軸支されて先端に形成したピニオンをインナハウジング１２内に突出させている。出力軸６の上方でギヤハウジング１３には、出力軸６と平行な支持ピン１７がインナハウジング１２内への突出状態で支持されて、この支持ピン１７に、出力軸６のピニオンと噛合するギヤ１８が軸受１９を介して回転可能に支持されている。ギヤ１８の偏心位置には、偏心ピン２０が前向きに固着され、その先端には、軸受２２を介してガイドローラ２１が回転可能に設けられて、このガイドローラ２１が横断面コ字状のスライダ２３内で転動可能に保持されている。一方、ギヤ１８の後面において、偏心ピン２０と１８０°位相が異なる偏心位置には、偏心量の大きい基端側の第１偏心部２５と、偏心量の小さい先端側の第２偏心部２６とからなる段付きの偏心ボス２４が突設されている。
【００１１】
ギヤハウジングカバー１４の内面には、図２に示すように、４つのボス２７，２７・・が突設され、このボス２７に正面視Ｕ字状のガイド板２８がネジ２９，２９・・によって固定されて、ガイド板２８の左右に設けた折曲部３０に、スライダ２３の両端に設けた図示しない張出部が嵌合している。これによりスライダ２３は、インナハウジング１２内で上下動可能に支持され、ギヤ１８が回転して偏心ピン２０と共にガイドローラ２１が偏心運動すると、ガイドローラ２１の上下方向の変位分が伝達されてスライダ２３はガイドローラ２１を介して上下動することになる。このギヤ１８、偏心ピン２０、ガイドローラ２１、スライダ２３が、モータ５の回転を後述するロッド３３の往復動に変換する往復動機構３１を構成する。
【００１２】
スライダ２３の下面中央部には、図３に示すように、下方へ突出する一対の支持片３２，３２が設けられて、この支持片３２，３２の間にスライド部材としてのロッド３３の上端がピン３４によって連結されている。このロッド３３は、角柱状を呈し、ギヤハウジングカバー１４の下部に保持されたブッシュ３５を貫通してインナハウジング１２の下方へ突出しており、下端に設けたジョイント部３６に、ブレード３７の上端を装着可能となっている。
また、ロッド３３の前側には、ロッド３３の前方への揺動を規制する規制ローラ３８が配置されている。この規制ローラ３８は、ガイド板２８をネジ止めするネジ２９によって固定される板バネ３９の下端に取り付けられて、ロッド３３を常時後方へ押圧するようになっている。
【００１３】
一方、ロッド３３の後方には、ロッド３３と共に上下動するブレード３７を前後に揺動させて楕円軌跡運動させるオービタル機構４０が設けられている。このオービタル機構４０は、ギヤ１８の偏心ボス２４の第２偏心部２６と連動して上下動するカムプレート４１と、カムプレート４１の下方に位置する揺動アーム４２とを備えてなる。揺動アーム４２は、帯板の中間部を倒コ字状に折り曲げて下端にバックローラ４３を支持したもので、ギヤハウジング１３の連結部１５に設けた左右一対の連結片４４，４４の間でピン４５によって前後へ揺動可能に支持されるが、常態ではバックローラ４３の重みにより、図７に示すように上端が上死点のカムプレート４１の下端に当接する位置へ回転付勢されている。カムプレート４１が下降すると、図１に示すようにカムプレート４１が揺動アーム４２の上端を押し下げてバックローラ４３を前方へ揺動させることになる。
【００１４】
４６は、揺動アーム４２の上端より上側で連結部１５を左右方向に貫通する半円柱状の切替軸で、連結部１５の側面に設けたレバー４７によって曲面が下になるように操作すると、曲面が揺動アーム４２の上端に当接して揺動アーム４２の揺動が規制される。逆に、曲面が上になるように操作すると、曲面が揺動アーム４２の上端から離れるため、揺動アーム４２の揺動を許容する。
従って、揺動アーム４２の揺動を許容するように切替軸４６を切り替えた場合、偏心ピン２０と偏心ボス２４とは互いに逆側に偏心しているので、ロッド３３が上昇すると、カムプレート４１が下降して揺動アーム４２の上端を押し下げるため、バックローラ４３は前方へ揺動してブレード３７の上昇に合わせてブレード３７を前方へ押圧する、ロッド３３が下降すると、カムプレート４１が上昇して揺動アーム４２の上端から離れるため、バックローラ４３は後方へ揺動してブレード３７から離れる。こうして上昇時にバックローラ４３に押されるブレード３７は、前後にオービタル運動することになる。
【００１５】
そして、インナハウジング１２内には、カウンタウエイト４８が設けられている。このカウンタウエイト４８は、ギヤ１８とカムプレート４１との間に設けられるプレート４９と、プレート４９に支持されるウエイト５０とからなる。まず、プレート４９は、図４，５にも示すように、上下方向のカム板部５１と、カム板部５１の上端から前方へ突出するウエイト取付部５２とからなる逆Ｌ字状で、カム板部５１の中央部には、第１偏心部２５が嵌合する上下幅と、第１偏心部２５の偏心運動を許容する左右幅とを有するカム孔５３が形成され、カム孔５３の下方には、出力軸６が貫通する長孔５４が形成されている。
【００１６】
よって、ギヤ１８が回転して偏心ボス２４が偏心運動すると、第１偏心部２５の上下方向の変位分がカム板部５１に伝達され、プレート４９が上下動することになる。なお、ギヤハウジング１３の内面でギヤ１８よりも上方では、図６（Ａ）に示すように、カムプレート４１及びプレート４９の左右に立設される一対のリブ５５，５５によって両プレート４１，４９の上下動がガイドされ、出力軸６よりも下方では、同図（Ｂ）に示すように、ギヤハウジング１３とギヤハウジングカバー１４とを結合する左右一対の連結ピン５６，５６の間で両プレート４１，４９の上下動がガイドされるようになっている。
【００１７】
ウエイト５０は、プレート４９のウエイト取付部５２の前側下面に左右一対のネジ５７によって取り付けられる金属製のブロック体で、取付状態で上死点のスライダ２３より上方に位置するが、ウエイト５０の前部には、スライダ２３の前方で下向きに突出する垂下部５８が形成されている。この形状により、ウエイト５０の前後方向の寸法をコンパクトにしつつ必要な質量が確保できる。カウンタウエイト４８の重心は、ロッド３３の真上に位置するようになっており、カウンタウエイト４８の全体の重量は、ロッド３３及びブレード３７、スライダ２３の合計重量と釣り合うように設定されている。また、ウエイト５０の前面には、上下方向の凹溝５９が形成され、プレート４９のウエイト取付部５２の前端中央には、凹溝５９と連続する切欠き５２ａが形成されている。この凹溝５９は、上側の方が下側よりも浅く形成されている。
【００１８】
さらに、カウンタウエイト４８の前方には、ガイド部材としてのガイドプレート６０が設けられている。このガイドプレート６０は、ウエイト５０の凹溝５９に嵌合する幅を有する帯状板で、下端には、左右に幅広の取付部６１が形成されて、この取付部６１が、ウエイト５０の下方位置で、ガイド板２８をネジ止めするボス２７の間でギヤハウジングカバー１４の内面に突設された一対の小ボス６２，６２にネジ６３によって固定されている。よって、ガイドプレート６０は、前後方向へ弾性を具備した格好でギヤハウジングカバー１４の内面から所定間隔離れた位置で支持されて、ウエイト５０を弾性的にガイドすることになる。但し、ガイドプレート６０の自由端となる上端とギヤハウジングカバー１４との間には、ギヤハウジングカバー１４の内面に設けられた受け座６４へ横向きに保持される円柱状のラバーピン６５が配置されている。ラバーピン６５は、ガイドプレート６０と同幅の長さを有してガイドプレート６０の上端と線接触することで、ガイドプレート６０に予圧を付与してウエイト５０へ弾性的に押し付けるもので、このラバーピン６５が本発明の予圧手段（弾性体）となる。
【００１９】
以上の如く構成されたジグソー１においては、ロッド３３にブレード３７を装着した状態でベース３を被切断材上にセットし、トリガ１１を押し込み操作すれば、スイッチ１０がＯＮしてモータ５が駆動し、出力軸６が回転してギヤ１８を減速して回転させる。このギヤ１８の回転により、偏心ピン２０が偏心運動してガイドローラ２１を介してスライダ２３及びロッド３３を上下動させるため、ブレード３７が上下動して被切断材が切断される。
このとき、ギヤ１８の偏心ボス２４の偏心運動により、オービタル機構４０のカムプレート４１が上下動するため、切替軸４６が揺動アーム４２の揺動許容位置に切り替えられていれば、揺動アーム４２が前後に揺動し、バックローラ４３はブレード３７の上昇に合わせてブレード３７を前方へ押圧する。但し、前方へ押されたブレード３７は、規制ローラ３８によって前方への過剰な移動を規制される。
【００２０】
そして、偏心ボス２４の偏心運動により、図１〜３及び図７，８に示すように、カウンタウエイト４８がロッド３３と対称に上下動するため、ロッド３３の上下動による振動や騒音の発生を抑制することができる。特にここでは、カウンタウエイト４８のウエイト５０がガイドプレート６０に案内されながら上下動することになるが、ガイドプレート６０はラバーピン６５によってウエイト５０へ弾性的に押し付けられているため、ウエイト５０の前方への移動が規制され、モーメントの発生が抑制されて上下動が安定し、カウンタウエイト４８の上下動に伴う振動の発生を効果的に防止することができる。また、凹溝５９にガイドプレート６０が嵌合した状態でウエイト５０が上下動することで、カウンタウエイト４８の左右のぶれも防止される。さらに、図７に示すカウンタウエイト４８の上死点では、ガイドプレート６０と接触する凹溝５９の下端位置よりも上方にラバーピン６０が位置しているので、上死点から下降する際の衝撃をラバーピン６０で吸収することができる。
【００２１】
このように、上記形態のジグソー１によれば、カウンタウエイト４８にガイドプレート６０を押し付ける予圧手段（ラバーピン６５）を設けたことで、カウンタウエイト４８に起因する振動の発生を効果的に防止可能となる。
特にここでは、ガイドプレート６０が、上下動するウエイト５０の前方に設けられてその前方のラバーピン６５によってウエイト５０に押し付けられる構造となっているため、組み付け性が良好となる。
また、予圧手段としてガイドプレート６０に線接触するラバーピン６５を採用したことで、ガイドプレート６０への予圧が簡単に付与できる。
さらに、ガイドプレート６０が弾性を有してラバーピン６５によってウエイト５０に押し付けられるため、部品点数の少ない合理的な構成で、ガイドプレート６０とラバーピン６５との異なる固有振動数によって振動を効果的に抑制することができる。
【００２２】
そして、ウエイト５０に、ガイドプレート６０が嵌合する凹溝５９を設けたことで、ガイドプレート６０による上下動のガイドに加えてカウンタウエイト４８の左右のぶれも防止可能となる。
また、ガイドプレート６０を、下端側が固定され、上端側が自由端となってラバーピン６５によってカウンタウエイト４８に押し付けられるものとしたことで、安定した予圧が付与可能となる。
さらに、カウンタウエイト４８の上死点でガイドプレート６０と接触するウエイト５０の凹溝５９の下端位置よりもラバーピン６５は上方に配置されるので、カウンタウエイト４８が上死点から下降する際の緩衝作用を得ることができる。
加えて、ウエイト５０は、前部に下方へ突出する垂下部５８を有するので、前後方向の厚みを抑えてコンパクト化を達成することができる。
【００２３】
なお、上記形態では、予圧手段としてラバーピンを採用しているが、このラバーピンの形状は円柱状に限らず、横断面が四角形や多角形等も採用できる。また、一つの弾性体に限らず、固有振動数が異なる弾性体（ゴムやコイルバネ、板バネ等）を複数組み合わせてガイド部材を予圧するようにしてもよい。このように複数種類の弾性体を使用すれば、異なる固有振動数によって振動抑制がより効果的に達成できる。
さらに、予圧手段は、上記形態のようにガイドプレート等のガイド部材に作用させてカウンタウエイトに押し付ける場合に限らず、カウンタウエイト側に設けてカウンタウエイトに作用させ、固定されるガイド部材を相対的にカウンタウエイトに押し付けるようにすることも可能である。
【００２４】
一方、カウンタウエイトの具体的な構造は上記形態に限らず、例えばウエイトの垂下部をなくしたり、複数の部品で構成したり、凹溝に代えて凸条を設けてガイド部材に設けた長孔に嵌合させて上下のガイドと左右のぶれ防止を図ったり等、適宜変更可能である。
その他、ジグソーの他の構造も、ギヤが複数設けられる構造や、上側のハンドルがなくモータ収容部がハンドルと兼用される構造、バッテリーパックでなく商用電源を利用する構造等、上記形態に限定されない。
そして、本発明はジグソーに限らず、スライド部材とカウンタウエイトと、カウンタウエイトの往復動を案内するガイド部材とを備えたものであれば、レシプロソー等の他の往復動切断工具であっても採用可能である。
【符号の説明】
【００２５】
１・・ジグソー、２・・ハウジング、３・・ベース、５・・モータ、６・・出力軸、７・・出力部、１２・・インナハウジング、１３・・ギヤハウジング、１４・・ギヤハウジングカバー、１８・・ギヤ、２０・・偏心ピン、２３・・スライダ、２４・・偏心ボス、２５・・第１偏心部、２６・・第２偏心部、３１・・往復動機構、３３・・ロッド、３７・・ブレード、４０・・オービタル機構、４１・・カムプレート、４２・・揺動アーム、４３・・バックローラ、４８・・カウンタウエイト、４９・・プレート、５０・・ウエイト、５８・・垂下部、５９・・凹溝、６０・・ガイドプレート、６５・・ラバーピン。
【図１】
2015139869.tif 000003
【図２】
2015139869.tif 000004
【図３】
2015139869.tif 000005
【図４】
2015139869.tif 000006
【図５】
2015139869.tif 000007
【図６】
2015139869.tif 000008
【図７】
2015139869.tif 000009
【図８】
2015139869.tif 000010